(57)【要約】【課題】本発明は、発光体ユニットの取り付け作業の容易な照明器具を提供する。【解決手段】  発光体ユニットに配置された一対の付勢部材を備え、一対の付勢部材は、コイル部と、コイル部の片側から延伸した腕部と、他側端部を備えた捩りばねであり、コイル部の中心軸を互いに平行に配置し、腕部の先端が屈曲した第一の屈曲部と、第一の屈曲部と腕部の先端との間に、第一の屈曲部とは逆向きに屈曲した第二の屈曲部と、を備え、一対の付勢部材が、腕部のうちコイル部と第一の屈曲部との間でばね受け具に付勢した際には、一対の付勢部材からばね受け具に対して付勢される上向きの力の合計は発光体ユニットの重さより大であり、一対の付勢部材が、腕部のうち第二の屈曲部よりも腕部の先端近傍でばね受け具に付勢した際には、一対の付勢部材からばね受け具に対して付勢される上向きの力の合計は発光体ユニットの重さより小である。【選択図】図４
2018160473.tif 000002
【特許請求の範囲】
【請求項１】
天井に取り付けられた器具本体と、
前記器具本体の下部に着脱自在に設けられ、発光体素子を備えた発光体基板と、前記発光体基板の下部を覆って前記発光体素子から照射された光を透過する透光カバーと、を備えた発光体ユニットと、
前記発光体基板と電気的に接続される電源装置と、
を備え、
前記発光体ユニットにおける前記透光カバーと相対する上面には前記発光体ユニットの重心位置を挟んで配置された一対の付勢部材を備え、
前記一対の付勢部材は、それぞれ円筒状に巻き回したコイル部と、前記コイル部の片側から延伸した腕部と、前記コイル部の他側端部を備えた捩りばねであり、
前記一対の付勢部材は、前記コイル部の中心軸を互いに平行に配置し、
前記一対の付勢部材は、前記器具本体に設けられたばね受け具との間でそれぞれ着脱可能であり、
前記腕部の先端が屈曲した第一の屈曲部と、前記第一の屈曲部と前記腕部の先端との間に、前記第一の屈曲部とは逆向きに屈曲した第二の屈曲部と、を備え、
前記一対の付勢部材が、前記腕部のうち前記コイル部と前記第一の屈曲部との間で前記ばね受け具に付勢した際には、前記一対の付勢部材から前記ばね受け具に対して付勢される上向きの力の合計は前記発光体ユニットの重さより大であり、
前記一対の付勢部材が、前記腕部のうち前記第二の屈曲部よりも前記腕部の先端近傍で前記ばね受け具に付勢した際には、前記一対の付勢部材から前記ばね受け具に対して付勢される上向きの力の合計は前記発光体ユニットの重さより小である、ことを特徴とする照明器具。
【発明の詳細な説明】
【技術分野】
【０００１】
本発明は、天井部に取り付けられる照明器具に関する。
【背景技術】
【０００２】
特許文献１には、「照明器具本体１が天井部に埋め込んで取り付けられ、本体枠部２が照明器具本体１に取り付けられ、バネである係止手段３１乃至３４により照明器具本体１と本体枠部２とが係止されている。そして、本体枠部２側に係止手段３１乃至３４の一端が固定され、照明器具本体１側に係止手段３１乃至３４の他端が着脱自在に形成され、照明器具本体１と本体枠部２とを係止手段３１乃至３４により係止するときに、天井構成部材に係止手段３１乃至３４が当接することを回避する回避手段４１乃至４８が設けられている。」構成が開示されている。
【先行技術文献】
【特許文献】
【０００３】
【特許文献１】特開平６−３０９９１２号公報
【発明の概要】
【発明が解決しようとする課題】
【０００４】
特許文献１に記載された構成では、天井部に固定された照明器具本体１から係止手段３１乃至３４によって吊り下げて取り外し可能な本体枠部２は発光素子ないし発光体を備えた発光体ユニットではなく、係止手段（付勢手段であるキックバネ）３１乃至３４は本体枠部２の２辺に沿った側面に各２式ずつ、合計４式を設けている。また、本体枠部２を照明器具本体１に取り付ける際には、係止手段３１乃至３４を１本ずつ順次、細長い形状のスリットである回避手段４１乃至４８に差し込んでいくので、キックバネの取り付け作業が４回必要であり、手間がかかる、という課題がある。
【０００５】
上記課題に鑑みて本発明の照明器具は、発光体ユニットの取り付け作業の容易な照明器具を得ることを目的とする。
【課題を解決するための手段】
【０００６】
上記目的を達成するために、例えば特許請求の範囲に記載の構成を採用する。
【０００７】
その一例としては、天井に取り付けられた器具本体と、前記器具本体の下部に着脱自在に設けられ、発光体素子を備えた発光体基板と、前記発光体基板の下部を覆って前記発光体素子から照射された光を透過する透光カバーと、を備えた発光体ユニットと、前記発光体基板と電気的に接続される電源装置と、を備え、前記発光体ユニットにおける前記透光カバーと相対する上面には前記発光体ユニットの重心位置を挟んで配置された一対の付勢部材を備え、前記一対の付勢部材は、それぞれ円筒状に巻き回したコイル部と、前記コイル部の片側から延伸した腕部と、前記コイル部の他側端部を備えた捩りばねであり、前記一対の付勢部材は、前記コイル部の中心軸を互いに平行に配置し、前記一対の付勢部材は、前記器具本体に設けられたばね受け具との間でそれぞれ着脱可能であり、前記腕部の先端が屈曲した第一の屈曲部と、前記第一の屈曲部と前記腕部の先端との間に、前記第一の屈曲部とは逆向きに屈曲した第二の屈曲部と、を備え、前記一対の付勢部材が、前記腕部のうち前記コイル部と前記第一の屈曲部との間で前記ばね受け具に付勢した際には、前記一対の付勢部材から前記ばね受け具に対して付勢される上向きの力の合計は前記発光体ユニットの重さより大であり、前記一対の付勢部材が、前記腕部のうち前記第二の屈曲部よりも前記腕部の先端近傍で前記ばね受け具に付勢した際には、前記一対の付勢部材から前記ばね受け具に対して付勢される上向きの力の合計は前記発光体ユニットの重さより小である。
【発明の効果】
【０００８】
本発明によれば、発光体ユニットの取り付け作業の容易な照明器具を得ることができる。
【図面の簡単な説明】
【０００９】
【図１】本発明の第一実施形態における照明器具を斜め下方から見た斜視図である。
【図２】図１のＡ−Ａ線断面図である。
【図３】図２のＢ−Ｂ線断面図である。
【図４】本発明の実施形態における照明器具を斜め上方から見た全体分解斜視図である。
【図５】（ａ）は図２のＣ矢視図であり、（ｂ）は図５（ａ）のＤ−Ｄ線断面図である。
【図６】（ａ）は本発明の実施形態における照明器具を斜め下方から見た斜視図であり、発光体ユニットをキックバネによって吊り下げた状態を示し、（ｂ）は図６（ａ）のキックバネ周囲の構成を詳細に示す斜視図である。
【図７】図６（ａ）のＢ’−Ｂ’線断面図であり、発光体ユニットをキックバネによって吊り下げた状態である。
【図８】図６（ａ）のＢ’−Ｂ’線断面図であり、発光体ユニットをキックバネによって吊り下げたまま短手方向奥側に揺動した状態を示す。
【図９】本発明の第一実施形態における照明器具の、発光体ユニットの取り付け、ないし取り外し動作を段階的に示す模式断面図である。
【図１０】本発明の第一実施形態における照明器具の、発光体ユニットの取り付け、ないし取り外し動作を説明するＡ−Ａ断面図である。
【図１１】本発明の第二実施形態における照明器具の、図３と同様なＤ−Ｄ線断面図である。
【図１２】本発明の第三実施形態における照明器具の、発光体ユニットの取り付け、ないし取り外し動作を説明するＡ−Ａ線断面図である。
【図１３】本発明の第四実施形態における照明器具を、天井側からみた概略上面図である。
【図１４】本発明とは異なる構成の照明器具における、発光体ユニットの取り付け、ないし取り外し動作を説明するＡ−Ａ線断面図である。
【図１５】本発明とはさらに異なる構成の照明器具における、発光体ユニットの取り付け、ないし取り外し動作を説明するＡ−Ａ線断面図である。
【発明を実施するための形態】
【００１０】
以下、本発明を実施するための形態の一例（以下「実施形態」という）について、適宜図面を参照しながら詳細に説明する。なお、各図において、共通する部分には同一の符号を付し重複した説明を省略する。
【００１１】
まず、第一実施形態に係る照明器具の構成を、図１から図４を用いて説明する。図１は、本発明の第一実施形態における照明器具を斜め下方から見た斜視図である。図２は、図１のＡ−Ａ線断面図である。図３は、図２のＢ−Ｂ線断面図である。図４は、本発明の実施形態における照明器具を斜め上方すなわち天井側から見た全体分解斜視図である。
【００１２】
ここで、照明器具１が、天井２に取り付けられた際の天井側を上方向、床面側を下方向とする。つまり照明器具１が、天井２に取り付けられた場合、上方向から下方向へ器具本体３、発光体ユニット４の順になるよう取り付けられる。また、照明器具１の外形は長尺な略直方体であるため、照明器具１には６つの面が存在する。これ以降、照明器具１が天井２に取り付けられた状態を基準として、照明器具１の天井側の面を上面、照明器具１の床面側の面を下面、天井２と直交し長尺な照明器具１の長手面を長手方向側面、上面・下面・長手方向側面以外の天井２と直交し長尺な照明器具１の短手面を短手方向側面と呼ぶことにする。また、これ以降、天井２に平行であり長手方向側面と平行となる方向を長手方向、天井２に平行であり短手方向側面と平行となる方向を短手方向と呼ぶ。
図１に示すように、本実施形態の照明器具１は、天井２の下面に固定される器具本体３と、器具本体３の下側に設けられた、例えば光源として発光ダイオード（ライト・エミッティング・ダイオード：ＬＥＤ）を内在し、下側表面は光を透過ないし拡散する透光カバー５で構成した着脱自在な発光体ユニット４とからなっている。
【００１３】
器具本体３は長尺の略直方体であり、一対のばね受け具６が長手方向の中心線に沿って下向きに配置され、ねじ３０によって器具本体３に固定されている。発光体ユニット４に電源を供給するためのケーブル７ａの一端にはコネクタ８ａが設けられ、コネクタ８ａはケーブル７ａを介して天井２から器具本体３を通して下方に延伸されている。器具本体３は、例えば図示しないネジやフックによって下側から天井２に固定される。
【００１４】
器具本体３の形状の一例としては、図３ないし図４に示すように、短手方向の断面では発光体ユニット４と対向する部分が凹んでおり、発光体ユニット４の一部が器具本体３に嵌合する形状とすれば、天井２からの照明器具１の下向きの凸量が小さくなるので薄型化が図れるので好適である。
【００１５】
発光体ユニット４は、例えば鉄板の長手方向側面の両辺を曲げて略コの字断面をした発光体ベース９と、発光体ベース９の下面に沿って設けられた発光体基板１０と、発光体基板１０に電気的に接続された発光体基板１０の下面側に設けられた例えばＬＥＤである発光体素子１１を備える。
【００１６】
発光体ベース９の上面側には発光体基板１０と電気的に接続された電源装置１２が設けられ、電源装置１２から延伸されたケーブル７ｂの一端にはコネクタ８ｂが設けられ、天井２から器具本体３通して下方に延伸されたケーブル７ａの一端に設けられたコネクタ８ａと一対をなして互いに接続可能であり、コネクタ８ａ、８ｂを接続すれば電源装置１２に通電して発光体基板１０を介して発光体素子１１を発光できる。
【００１７】
発光体ユニット４下面は発光体素子１１からの光を透過する透光カバー５によって覆われている。
透光カバー５の長手方向に沿った両側面近傍には、先端部を互いに内側に向けて屈曲させた係合部１３を設け、発光体ベース９の略コの字断面の端部に外側から嵌合して透光カバー５を発光体ベース９に対して保持する構成である。
【００１８】
透光カバー５は発光体素子１１からの光を透過するものであればよく、透明の材料で作成しても半透明の材料で作成してもよい。また、透光カバー５は、拡散性でも非拡散性でもよい。透光カバー５が拡散性であれば均斉度は高くなり、非拡散性であれば効率がよくなる。
【００１９】
図３において、発光体素子１１から照射された光１４は透光カバー５を透過して、主に床面方向、一部は壁面方向に照射される。
【００２０】
発光体ベース９の上面には、器具本体３に下向きに設けられたばね受け具６に対応した位置に、ばね保持具１５が例えばねじ３０によって固定されている。
【００２１】
ばね保持具１５は、円筒状に巻き回された捩りばね１６のコイル部１７の内側を貫通して捩りばね１６を発光体ベース９に支持している。この捩りばね１６のコイル部１７の両端は略対称形状に延伸された一対のばね腕部１８となっている。この捩りばね１６のことを、本発明の記載においては以下キックばね１６と称することがある。
【００２２】
ばね保持具１５は、キックばね１６のコイル部１７を発光体ベース９に対して締めつけて固定しなくてもよく、がたつきのある状態であってもよい。ばね保持具１５には、キックばね１６の短手方向の移動を制限するための切り曲げ部２８を設けている。
【００２３】
キックばね１６の一対のばね腕部１８を器具本体３に設けられたそれぞれ対応したばね受け具６に嵌合し、ばね受け具６に対して上向きの付勢力を作用することで、キックばね１６とばね保持具１５を介して発光体ベース９を上方に引き上げる力を生じ、発光体ユニット４を器具本体３に下側から押し当ててセットされる構成である。
【００２４】
キックばね１６による付勢力の作用の詳細については後述する。
【００２５】
ここで、キックばね１６、キックばね１６のコイル部１７を貫通して保持するばね保持具１５、キックばね１６のばね腕部１８と作用するばね受け具６の配置について説明する。先に説明したように、発光体ベース９に設けられたばね保持具１５と、器具本体３に設けられたばね受け具６とは互いに対応する位置に設けられ、ばね保持具１５によってコイル部分を支持されたキックばね１６のばね腕部１８がばね受け溝１９に勘合し、キックばね１６により生じるばね力すなわち付勢力がばね受け溝１９に作用する。キックばね１６を介して発光体ユニット４に上向きの付勢力を付与し、その付勢力が発光体ユニット４の自重を上回ることによって発光体ユニット４を器具本体３に近接する方向、すなわち上向きに作用して発光体ユニット４を器具本体３に当接して保持する構成である。
【００２６】
ばね保持具１５の一部には、キックばね１６のコイル部が短手方向へ移動することを制限する所謂ストッパである切り起こし部２０が設けられており、キックばね１６を発光体ユニット４の長手方向の略中心線上に保持する。
【００２７】
本実施形態ではキックばね１６を発光体ユニット４の長手方向に沿った中心線上に２式設け、互いに発光体ユニット４の重心位置Ｇを挟んで配置している。発光体ユニット４の重心位置Ｇは、概ね長手方向の中心位置近傍となるが、電源装置１２が発光体ユニット４の中心位置からずれて配置された場合には、重心位置Ｇは長手方向の中心位置よりも電源装置１２の側にずれた位置となる。
【００２８】
また、本実施形態においては図３に示すように短手方向の断面形状は略左右対称な構成としたので、発光体ユニット４の重心位置は長手方向に沿った中心線上にあり、キックばね１６による上向きの付勢力は発光体ユニット４の重心を上方に付勢する構成である。
【００２９】
本実施形態においては、一対のキックばね１６を互いに発光体ユニット４の重心位置Ｇを挟んで配置したので、キックばね１６によるばね力が発光体ユニット４を上向きに安定に付勢して、器具本体３に当接して保持することができる。
【００３０】
発光体ユニット４を器具本体３に取り付ける際の施工手順としては、器具本体３を天井に取付け、ケーブル７ａを介してコネクタ８ａが器具本体３からぶら下がった状態とする。
【００３１】
しかる後に発光体ユニット４を器具本体３に近接させてキックばね１６を図４の破線に示した状態から実線で示した状態まで弾性変形させつつキックばね１６の先端部分を順次、器具本体３に設けられたばね受け具６に架ける。２本のキックばね１６をそれぞればね受け具６に架けた状態で、発光体ユニット４は２本のキックばね１６、ばね保持具１５を介して器具本体３から吊下げられた状態となる。
【００３２】
２本のキックばね１６は、先に述べたように発光体ユニット４の長手方向に沿った中心線上に、発光体ユニット４の重心位置Ｇを挟んで配置されているので、発光体ユニット４は器具本体３に対して略平行な位置で吊下げられる。
【００３３】
しかる後に、器具本体３からぶら下がった状態にあるコネクタ８ａと、発光体ユニット４に設けられた電源装置１２にケーブル７ｂを介して接続されたコネクタ８ｂとを互いに接続する。
【００３４】
しかる後に、発光体ユニット４を器具本体３に近接させるよう上昇させれば、キックばね１６による付勢力が発光体ユニット４の自重より大なるようにしているので、発光体ユニット４は器具本体３に向けて引き上げられ、発光体ユニット４は器具本体３に当接されて、図１から図３に示すような形態となり（これを、セットされる、と表記することがある）、この状態で照明器具１として使用される。
【００３５】
このような施工手順なので、施工の容易な照明器具１としては、次のような効果を備えた構成が望ましい。
１．キックばね１６をばね受け具６に架ける際に、ばね受け具６が目視確認できるとともに、キックばね１６をばね受け具６の所定の位置、例えばばね受け溝１９に容易に架けられる。
２．コネクタ８を接続する際に、キックばね１６を介して発光体ユニット４を吊下げた状態で保持することが可能であり、紐や鎖のような特段の吊下げ部材が不要。
３．コネクタ８を接続するための作業スペースが大である。
４．コネクタ８を接続したのち発光体ユニット４を吊下げた状態から下方から持ち上げるだけで、発光体ユニット４はキックばね１６の付勢力によって器具本体３に向けて引き上げられてセットされ、特段の道具を使うことなく発光体ユニット４を取り付けられる。
５．キックばね１６は１本ずつ順次ばね受け具６に架けるので、キックばね１６を１本だけ架けた状態でも、発光体ユニット４が安定しており支持しやすい。
【００３６】
本発明による照明器具１は上記の効果を備えているので、その詳細な構成を以下に説明する
次に、キックばね１６とばね受け具６の詳細な構成について、図５から図６を用いて説明する。
図５（ａ）は図２のＣ矢視図であり、（ｂ）は図５（ａ）のＤ−Ｄ線断面図である。図５（ａ）（ｂ）は、図１から図３に示すと同様に、発光体ユニット４を器具本体３にセットした状態を示している。
【００３７】
図６（ａ）は本発明の実施形態における照明器具を斜め下方から見た斜視図であり、発光体ユニット４をキックばね１６によって吊り下げた状態を示し、（ｂ）は図６（ａ）のキックバネ周辺の構成を詳細に示す斜視図である。
【００３８】
先に説明したように、ねじりバネであるキックばね１６の円筒状のコイル部１７の内側にばね保持具１５が挿入され、ばね保持具１５を発光体ベース９の上面に固定することで、キックばね１６は発光体ユニット４に取り付けられる。キックばね１６のコイル部１７の中心軸は短手方向を向いて支持される。
【００３９】
キックばね１６の両端は、コイル部１７から接線状にコイル部１７から遠ざかる方向に延伸した一対のばね腕部１８を有している。それぞれのばね腕部１８は、概ねばね腕部１８の中央近傍に、コイル部１７から離れるにしたがってコイル部１７の中心軸から遠ざかる方向に屈曲した第一の屈曲部２１と、第一の屈曲部２１に対してコイル部１７とは反対側のばね腕部１８の先端近傍に、第一の屈曲部２１とは逆向きに屈曲した第二の屈曲部２２とを有している。ばね腕部１８の先端はコイル部１７の中心線に対して平行に、コイル部１７の側に屈曲した幅ｓのストッパ部２３を有している。このストッパ部２３はさらに先端を１８０°屈曲させて先端を丸めてもよく、材料の切断面のバリが端部に露出することを防止できる。
【００４０】
第一の屈曲部２１と第二の屈曲部２２の作用については後述する。
【００４１】
図５（ａ）に示すように、コイル部１７の両端から延伸された一対のばね腕部１８は互いにｅだけ離れて配置され、それぞれのばね腕部１８はコイル部１７の中心軸のまわりに回動するので、一対のばね腕部１８がそれぞれ回動する面は長手方向に沿い、かつ上下方向に沿って互いにｅだけ離れた面内となる。
【００４２】
換言すれば、一対のばね腕部１８は、図５（ａ）のように上方から見た場合には、１８０°回転した時に同一形状となるような、回転対称の形状をしている。
【００４３】
また、図５（ｂ）のように短手方向から見た場合には、左右対称の形状をしている。
【００４４】
図５（ａ）において、ばね受け具６は、キックばね１６の一対のばね腕部１８に対応した一対のばね受け溝１９を備えている。一対のばね受け溝１９は一対のばね腕部１８に対応しており、互いに間隔ｅの位置にあり、かつ図５（ａ）のように上方から見た場合には、１８０°回転した時に同一形状となるような、互いに回転対称の位置に設けられている。
【００４５】
図５に示したように、発光体ユニット４がセットされた状態にある時は、ばね受け溝１９はばね腕部１８のうち、コイル部１７から第一の屈曲部２１までの間の区間で接し、キックばね１６からの付勢力を受ける。
【００４６】
キックばね１６は取り外してトルクのかからない状態ではばね腕部１８は図５（ｂ）の破線で示した形状をなしており、発光体ユニット４を器具本体３にセットした際には、弾性変形して矢印に示す方向のトルクを生じる。
【００４７】
このときの付勢力の大きさをＦａとすれば、力Ｆａの方向はばね受け溝１９にばね腕部１８が接する方向に対して垂直であり、上下方向に対して角度θａだけ傾斜している。したがって、発光体ユニット４に対する上向きの鉛直方向の力の成分はＦａ×ｃｏｓ（θａ）であり、それぞれのキックばね１６に対してばね腕部１８は２本あるので、各キックばね１６につき、発光体ユニット４を引き上げる力は２×Ｆａ×ｃｏｓ（θａ）となる。
【００４８】
本実施例のようにキックばね１６を２本設けた形態においては、発光体ユニット４を引き上げる力は合計で４×Ｆａ×ｃｏｓ（θａ）となる。
【００４９】
ここで、発光体ユニット４の質量をｍ、重力加速度をｇとすれば、自重に逆らって発光体ユニット４を器具本体３に当接してセットするには、一対のキックばね１６による力の合計である４×Ｆａ×ｃｏｓ（θａ）が自重による力ｍｇより大なる関係（４×Ｆａ×ｃｏｓ（θａ）＞ｍｇ）とすることが好適である。
【００５０】
ここで、一対のばね腕部１８同士の距離、およびばね受け溝１９の間隔をそれぞれ同じくｅ寸法としたので、発光体ユニット４を下方に移動してキックばね１６がねじり変位した場合でも、キックばね１６のコイル部１７の中心軸は常に短手方向を向いたままとなる。したがってコイル部１７の中心軸とばね保持具１５との関係は変わることがなく、キックばね１６は常に安定に支持される。すなわち、発光体ユニット４を施工の際に上下に移動した場合でも、図５（ａ）のように上方から見た場合には、キックばね１６が回動ないし揺動することがない。
【００５１】
したがって、キックばね１６のコイル部１７の内側と、コイル部１７の内側を貫通したばね保持具１５とが擦れたりこじられたりすることがないので、キックばね１６は安定して保持されるとともに、キックばね１６のコイル部１７に傷が付きにくいので信頼性が高い。
【００５２】
なお、このｅ寸法は、キックばね１６とばね受け具６において厳密に同一の寸法である必要はなく、部品の加工や取付けの誤差程度の相違があっても、キックばね１６が弾性変形して安定して取付けられればよい。
【００５３】
また、捻りばねには、コイル部１７を巻き回すために所謂リード角と呼ばれるねじり角があるために、一対のばね腕部１８は平行ではなく先端ほど開いた形状となる。そのような形状であって、ばね腕部１８同士の距離が、ばね受け溝１９の間隔ｅとは異なったとしても、ばね腕部１８の弾性変形の範囲であれば、本実施形態による効果が同等に得られることは言うまでもない。
【００５４】
先に説明したように、照明器具１の施工時には天井２に取付けた器具本体３に設けたばね受け具６にキックばね１６を架けて発光体ユニット４を吊り下げた形態として、天井側の器具本体３から延伸したケーブル７ａに設けられたコネクタ８ａと、発光体ユニット４に設けられた電源装置１２から延伸したケーブル７ｂに設けられたコネクタ８ｂとを接続する。
【００５５】
このような施工作業は天井２に向けて下方から行うことになる。ここで、図６（ａ）によって明らかなように、キックばね１６を発光体ユニット４の上面に設け、ばね受け具６を器具本体３から下方に向けて設けたので、器具本体３と発光体ユニット４の隙間を通して、下方からばね受け具６を目視できるので、キックばね１６をばね受け具６に架けやすく、施工しやすい、という効果がある。
【００５６】
ばね受け具６にキックばね１６を架ける際には、図６（ｂ）に矢印で示すように、一対のキックばね１６のばね腕部１８を弾性変形させてばね受け具６に設けられた穴２４に下方から潜らせ、ばね腕部１８を対応するばね受け溝１９に架けて、キックばね１６のストッパ部２３を上方に向けて曲げた切り起こし部２０に引っ掛けることで、確実にばね受け溝１９によってキックばね１６を保持できる。
【００５７】
ここで、ばね受け溝１９に隣接した切り起こし部２０と、切り起こし部２０に対してばね受け溝１９とは反対側の辺を、ばね受け溝１９側に向けて間隔が狭くなる向きに傾斜した傾斜部２５としている。このような形状とすることによって、キックばね１６を取り付ける際には、ばね腕部１８が切り起こし部２０ないし傾斜部２５に沿ってばね受け溝１９にガイドされて呼び込まれるので、キックばね１６をばね受け溝１９に確実に取り付けることができ、キックばね１６が取り付けやすく、施工の容易な照明器具が得られる。
【００５８】
次に、図６により説明したものと同様に、キックばね１６を介して発光体ユニット４を器具本体３から吊下げた状態と、コネクタ８の接続作業について、図７と図８を用いて説明する。
【００５９】
図７は、図６（ａ）のＢ’−Ｂ’線断面図であり、発光体ユニット４をキックばね１６を介して吊り下げた状態である。Ｂ’−Ｂ’線断面図は、図２におけるＢ−Ｂ線断面図と同じ位置での断面図である。
【００６０】
図８は、図７と同様に図６（ａ）のＢ’−Ｂ’線断面図であり、発光体ユニット４をキックばね１６によって吊り下げたまま短手方向奥側に揺動した状態を示している。
【００６１】
図７において、発光体ユニット４は２本のキックばね１６によって器具本体３から吊下げられており、図３に示したセット状態からｕ３だけ下降した状態を示している。先に説明したように、キックばね１６は発光体ユニット４の長手方向の中心線上に配置されており、特に、キックばね１６が架けられるばね受け溝１９の幅ｅの範囲内に発光体ユニット４の重心を設けることにより、発光体ユニット４を吊下げた状態でも発光体ユニット４は水平を保ったまま安定して支持される。
【００６２】
このとき、器具本体３と発光体ユニット４との間の隙間ｐ１は、キックばね１６のばね腕部１８の長さと同等か、あるいはやや小なる値となる。
【００６３】
ここで、コネクタ８（８ａ、８ｂ）を接続する際には、手前側のスペースに余裕がある方が作業しやすいことは言うまでもない。
【００６４】
本実施形態の照明器具１においては、短手方向の手前側から奥側に向けて発光体ユニット４を押すと、概ね器具本体３の長手方向中心線上に設けられたばね受け具６に架けられたキックばね１６のストッパ部２３を中心として奥側に揺動して図８に示すような形態となる。
【００６５】
すなわち、キックばね１６がばね受け溝１９に掛った状態で、キックばね１６のストッパ部２３はばね受け溝１９の位置を中心としてばね受け具６から上側に傾斜することができる。ここで、ばね受け具６の上下方向の厚さｈと、キックばね１６のストッパ部２３の長さｓとの関係を、ｈ＞ｓなるようにすれば、キックばね１６が発光体ユニット４とともに傾斜しても、ストッパ部２３が器具本体３に当接して突っ張ったりこじられたりすることがなく、容易に発光体ユニット４を傾斜することができる。
【００６６】
すなわち、発光体ユニット４は、器具本体３に近接した、キックばね１６先端のストッパ部２３のまわりに傾斜可能な構成である。
図８に示すように、発光体ユニット４が奥側に傾斜すると、器具本体３と発光体ユニット４との隙間ｐ２は、図７に示した吊下げられた状態における隙間ｐ１より大であり、ｐ２＞ｐ１となすことができる。またさらに、発光体ユニット４は奥側にｐ３だけ移動するので、コネクタ８やケーブル７を目視しやすく作業しやすい。
【００６７】
本実施例によれば、コネクタ８を接続する際には、発光体ユニット４を短手方向奥側に傾斜して手前側の隙間を拡大可能なので、目視しやすく施工の容易な照明器具を提供できる、という効果がある。
【００６８】
次に、図９を用いて発光体ユニット４を器具本体３に対して上下方向に移動して、発光体ユニット４を取り付け、または取り外しする際のキックばね１６の形状と、そのときに生じる力について説明する。図９（ａ）は図３と同じく発光体ユニット４を器具本体３にセットした状態を示す長手方向の断面図である。図９（ｂ）（ｃ）（ｄ）は、それぞれ発光体ユニット４が距離ｕ１、ｕ２、ｕ３だけ下降した位置を示す長手方向の断面図である。図９（ｅ）は、キックばね１６を弾性変形させてばね受け具６に取り付ける際の動作を示す長手方向の断面図である。
【００６９】
図９（ａ）においては、図５（ｂ）により説明したと同様に、キックばね１６のばね腕部１８からばね受け具６に対して力Ｆａが鉛直方向から角度θａの向きに加わって、質量ｍの発光体ユニット４を上方の器具本体３に向けて付勢している。また、この状態において、器具本体３と発光体ベース９との間の間隔はＨであり、照明器具１を薄型化するには、このＨ寸法を低減できる構成が望ましい。
【００７０】
図９（ｂ）は、発光体ユニット４をセットした状態から距離ｕ１だけ引き下げた位置を示しており、ばね腕部１８のうちコイル部１７と第一の屈曲部２１との間がばね受け具６に掛った状態であり、力Ｆｂが鉛直方向から角度θｂの向きに加わって、質量ｍの発光体ユニット４を上方の器具本体３に向けて付勢している。ここで、図５（ｂ）にて説明したと同様に、（４×Ｆｂ×ｃｏｓ（θｂ）＞ｍｇ）なる関係とすれば、キックばね１６による上向きの付勢力は発光体ユニット４の自重より大となるので、発光体ユニット４は上向きに付勢された状態である。
【００７１】
ここで、ばね腕部１８に第一の屈曲部２１と第二の屈曲部２２を設けない形状を破線Ｋで示すと、キックばね１６の先端が器具本体３の上面よりも上方に位置するので、キックばね１６のばね腕部１８を揺動させるには天井２に穴を設けるか、あるいはＨ寸法を拡大して照明器具１の厚さを大とする必要がある。
【００７２】
すなわち、ばね腕部１８に第一の屈曲部２１と第二の屈曲部２２を設けたことによって、Ｈ寸法を低減して照明器具１の薄型化を実現できる、という効果がある。ここで、第一の屈曲部２１と第二の屈曲部２２とは互いに反対向きに屈曲しているので、Ｈ寸法の低減に対して効果があるのは第一の屈曲部２１であり、第一の屈曲部２１をばね腕部１８の概ね中央近傍に設けることが効果的である。
【００７３】
図９（ｃ）は、発光体ユニット４をさらに距離ｕ２まで引き下げた位置を示しており、ばね腕部１８の第一の屈曲部２１がばね受け具６に掛った状態であり、力Ｆｃが鉛直方向から角度θｃの向きに加わって、質量ｍの発光体ユニット４を上方の器具本体３に向けて付勢している。図９（ｂ）と比較すると、第一の屈曲部２１によって角度（θｃ）＜（θｂ）となり、ｃｏｓ（θｂ）＜ｃｏｓ（θｃ）となるので、力Ｆｃの上向きの鉛直方向成分は、さらに大となり、発光体ユニット４を引き上げる力は大となる。
【００７４】
図９（ｄ）は、発光体ユニット４をさらに距離ｕ３まで引き下げて、図７と同様に発光体ユニット４を吊下げた状態を示す。ここで、ばね腕部１８の先端部にあるストッパ部２３はばね受け具６の切り起こし部２０に掛った状態であり、ばね腕部１８に設けられた第二の屈曲部２２はばね受け具６よりも下側に位置する。換言すれば、ばね受け具６は第二の屈曲部２２よりもさらにばね腕部１８の先端近傍を支持した状態である。
【００７５】
ばね腕部１８は、第二の屈曲部２２において第一の屈曲部２１とは反対向きに屈曲しており、図９（ｄ）に示した吊下げ状態においては、θｄは大となって力Ｆｄの方向は水平に近づき、鉛直方向成分Ｆｄ×ｃｏｓ（θｄ）は小となる。
【００７６】
ここで、一対のキックばね１６による上方方向への付勢力の合計と発光体ユニット４の自重との大小関係を、（４×Ｆｄ×ｃｏｓ（θｄ）＜ｍｇ）となるようにＦｄとθｄとを定めれば、図９（ｄ）ないし図６、図７に示した状態において、発光体ユニット４はキックばね１６の付勢力によって上昇することがなく、そのまま発光体ユニット４の吊下げ状態を維持することができる。
【００７７】
すなわち、発光体ユニット４をキックばね１６で吊下げた状態を保持することが可能であり、紐や鎖のような特段の吊下げ部材が不要であり、施工の容易な照明器具を提供できる、という効果がある。
【００７８】
図９（ｅ）は、キックばね１６の一対のばね腕部１８を白抜き矢印方向に手指で互いに近接させて弾性変形させ、キックばね１６の先端のストッパ部２３をばね受け具６に対して下側から取り付ける際の動作を矢印で示している。
【００７９】
ここで、手指によってキックばね１６を弾性変形させる際に、第一の屈曲部２１に手指をかけることによって、キックばね１６を弾性変形したままの状態で安定して支持できるので、キックばね１６をばね受け具６に対して下側から取り付ける作業が容易であり、施工の容易な照明器具を提供できる、という効果がある。
【００８０】
なお、キックばね１６をばね受け具６から取り外す際には、取り付ける際と同様にキックばね１６を弾性変形した状態で、ばね受け具６から下方に移動すれば、容易に発光体ユニット４を器具本体３から取り外すことができる。
【００８１】
すなわち、発光体ユニット４を器具本体３に取り付ける際には、まず図９（ｅ）に示すようにキックばね１６を手指で弾性変形させた状態で、ばね腕部１８先端のストッパ部２３を下側からばね受け具６に設けられた穴２４をくぐらせてばね受け溝１９に取り付け、図９（ｄ）に示すようにキックばね１６を介して発光体ユニット４を器具本体３から吊下げた状態とする。このとき、吊下げ状態を維持するために、紐や鎖などの特段の吊下げ手段は不要である。
【００８２】
この状態でコネクタ８を接続した後、発光体ユニット４に下方から力を加えて上昇させれば、図９（ｃ）、図９（ｂ）の状態を経て図９（ａ）の状態に至り、発光体ユニット４と器具本体３とはセットされた状態となる。
【００８３】
発光体ユニット４を取り外す際には上記と逆の手順を行えばよく、特段の道具を用いることなく発光体ユニット４の取付けおよび取り外しをすることが可能な、施工の容易な照明器具を提供できる。
【００８４】
次に、図１０を用いて、施工途中の状態について説明する。
【００８５】
図１０は、発光体ユニット４の取り付け、ないし取り外し動作を説明する長手方向Ａ−Ａ断面図である。
【００８６】
発光体ユニット４を取り付ける際には、２本あるキックばね１６を両方同時にばね受け具６に架けることは困難なので、１本ずつ順次架ける作業を行う。図１０においては、施工途中で一方のキックばね１６だけをばね受け具６に架けた状態を示している。
【００８７】
本実施例におけるキックばね１６においては、図９（ｄ）により説明したように、キックばね１６からばね受け具６への付勢力Ｆｄは、一対のばね腕部１８から長手方向に互いに対称に生じるので、これらの力は長手方向に釣り合う。したがって、図１０に示すように図示右方の一方のキックばね１６のみをばね受け具６に架けた状態において、キックばね１６は発光体ユニット４に対して長手方向の付勢力を生じない。この状態で、発光体ユニット４は既に架けられた一方のキックばね１６を介して、ばね保持具１５はばね受け具６の真下に安定して位置するので、他方のキックばね１６を架ける際に発光体ユニット４の位置が安定して架けやすい、という効果がある。
【００８８】
またさらに、キックばね１６のばね腕部１８には第一の屈曲部２１が設けられているので、第一の屈曲部２１と発光体ベース９との間には隙間２６が生じる。この隙間２６に手指を挿入することでキックばね１６を図９（ｅ）に示した状態まで弾性変形させやすいので、発光体ユニット４の取付作業が容易である。
【００８９】
すなわち、本実施形態によれば、施工の途中でキックばね１６を１本だけ架けた状態でも、発光体ユニット４を支持しやすく、２本目のキックばね１６を架けやすい、特段の道具を用いることなく発光体ユニット４の取付けおよび取り外しをすることが可能な、施工の容易な照明器具を提供できる。
【００９０】
図１１を用いて、本発明の第二実施形態について説明する。図１１は、本発明の第二実施形態における照明器具の、図３と同様な短手方向のＤ−Ｄ線断面図である。
【００９１】
第二実施形態が第一実施形態と異なるところは、器具本体３の短手方向の幅Ｗ２が発光体ユニット４の幅Ｗ１と略等しいことである。器具本体３と発光体ユニット４とを付勢するためのキックばね１６とばね受け具６とは発光体ユニット４の上面かつ長手方向の中心線上に位置するので、器具本体３の短手方向の幅Ｗ２を発光体ユニット４の幅Ｗ１と略等しい寸法まで狭くすることができる。
【００９２】
このような寸法関係としたので、発光体ユニット４を短手方向に互いに近接して配置することができるとともに、特段の道具を用いることなく発光体ユニット４の取付けおよび取り外しをすることが可能な、施工の容易な照明器具を提供できる。
【００９３】
次に、図１２を用いて、本発明の第三実施形態について説明する。
図１２は、本発明の第三実施形態における照明器具の、発光体ユニット４の取り付け、ないし取り外し動作を説明する長手方向のＡ−Ａ線断面図である。
【００９４】
図１２（ａ）は図２と同様に発光体ユニット４を器具本体３にセットした状態、図１２（ｂ）は１か所のキックばね１６のみをばね受け具６に架けて発光体ユニット４を器具本体３から吊下げた状態を示している。
【００９５】
第三実施形態が第一実施形態と異なるところは、器具本体３と発光体ユニット４とを付勢するためのキックばね１６、ばね保持具１５、ばね受け具６、を長手方向の中心線上に沿って３式設けたことである。このうち２式は長手方向の両端近傍に配置し、１式のキックばね１６ｃは長手方向の中央近傍に配置する。
【００９６】
図１２（ａ）に示すようにキックばね１６を３本設けた構成であっても、キックばね１６によって生じる上向きの付勢力が発光体ユニット４の自重より大なるものとすれば、発光体ユニット４は器具本体３に対して安定してセットされるので、長手方向に特に長い、所謂長尺の照明器具１に対して好適である。
【００９７】
第三実施形態において、電源装置１２が発光体ユニット４の長手方向に沿って配置される場合には、発光体ユニット４の重心位置は、長手方向の中心位置よりも電源装置１２の側に寄った位置となる。そこで、長手方向の中央近傍に配置されるキックばね１６ｃの位置を長手方向の中心位置ではなく、発光体ユニット４における長手方向の端面からの寸法を、電源装置１２のある側はＬ１、反対側をＬ２として、Ｌ１＜Ｌ２となる位置に配置するのが好適である。
【００９８】
このように配置すれば、中央のキックばね１６ｃは発光体ユニット４の重心位置近傍に配置されるので、図１２（ｂ）に示すように中央のキックばね１６ｃだけを対応するばね受け具６に架けただけの状態で、発光体ユニット４は略水平に支持される。この状態でコネクタ８を接続してもよい。
【００９９】
このような状態から、発光体ユニット４の長手方向両端近傍に設けられたキックばね１６を順次、それぞれ対応するばね受け具６に架けることは容易であり、３本のキックばね１６をそれぞれ対応するばね受け具６に架ければ、発光体ユニット４は３本のキックばね１６によって器具本体３から吊下げられた状態となる。コネクタ８を接続したのち発光体ユニット４を持ち上げれば、キックばね１６による付勢力によって、図１２（ａ）に示すように発光体ユニット４はセットされる。
【０１００】
以上説明したように、第三実施形態においては、長手方向に沿って配置された３本のキックばね１６を用いて発光体ユニット４を吊下げ支持する構成とし、かつ中央に設けたキックばね１６ｃを発光体ユニット４の重心近傍に配置したので、中央のキックばね１６ｃのみを架けた状態でも発光体ユニット４は略水平に支持されるので、コネクタ８の接続や長手方向両端近傍の２本のキックばね１６を架けることが容易であり、特段の道具を用いることなく発光体ユニット４の取付けおよび取り外しをすることが可能な、施工の容易な照明器具を提供できる。
【０１０１】
次に、図１３を用いて、本発明の第四実施形態について説明する。図１３は、本発明の第四実施形態における照明器具１を、天井２側からみた概略上面図である。
【０１０２】
第四実施形態が第一実施形態と異なるところは、器具本体３と発光体ユニット４とは長手方向に直線状ではなく、全体または一部が曲線によって構成されていることであり、長手方向のＡ−Ａ線断面は図２と同様な構成である。
【０１０３】
図１３においては、長手方向に略Ｓ字形状に湾曲した形態を第四実施形態の一例として示している。第四実施形態において、一対のキックばね１６は重心位置Ｇを挟んで発光体ユニット４の長手方向の両端近傍に配置され、一対のキックばね１６の円筒状のコイル部１７の中心線は、互いに平行となるよう配置されている。さらに、重心位置Ｇをキックばね１６のばね腕部１８の間隔であるｅの範囲内に設けると、発光体ユニット４を安定して支持できるので望ましい。
【０１０４】
一対のキックばね１６をこのように配置したので、キックばね１６の付勢力によって発光体ユニット４を器具本体３に対して付勢してセットすることが可能であり、さらに図７に示すと同様に発光体ユニット４を水平に吊下げることや、またさらに図８のように発光体ユニット４を揺動することが可能である。したがって、第一実施形態と同様にコネクタ８の接続やキックばね１６を架けることが容易であり、特段の道具を用いることなく発光体ユニット４の取付けおよび取り外しをすることが可能な、施工の容易な照明器具を提供できる。
【０１０５】
第四実施形態として、図１３においては器具本体３と発光体ユニット４が略Ｓ字形状に湾曲した一例を示したが、このような形状に限定されるものではなく、部分円弧形状や、くの字形状、あるいは長手方向に複数の屈曲部を備えた形状であってもよく、同様な効果が得られることは言うまでもない。
【０１０６】
また、第三実施形態に示したと同様に、発光体ユニット４の略中央部にさらにキックばね１６ｃを設けた構成であってもよい。
【０１０７】
次に、図１４を用いて本発明とは異なる構成について説明する。
【０１０８】
図１４は本発明とは異なる構成の照明器具１における、発光体ユニット４の取り付け、ないし取り外し動作を説明する長手方向のＡ−Ａ線断面図であり、図１０と同様に２本設けられたキックばね１６のうちの片側のみをばね受け具６に架けた状態を示している。
【０１０９】
本発明と異なるところは、キックばね１６を保持するばね保持具１５が器具本体３に取り付けられており、ばね受け具６が発光体ユニット４の発光体ベース９に設けられていることである。
【０１１０】
このように配置されるので、施工時にばね受け具６は発光体ユニット４の陰になって下方から目視することができない。したがって、キックばね１６のばね腕部１８先端を、ばね受け具６に設けられたばね受け溝１９に挿入して架ける動作を目視できない状態で行うので、作業性に問題が生じる恐れがある。
【０１１１】
一方、本発明の実施形態においては、ばね受け具６を下方から目視できるので、作業性が良好である。
【０１１２】
次に、図１５を用いて本発明とはさらに異なる構成について説明する。
図１５は本発明とはさらに異なる構成の照明器具１における、発光体ユニット４の取り付け、ないし取り外し動作を説明する長手方向のＡ−Ａ線断面図であり、図１０と同様に２本設けられたキックばね１６のうちの片側のみをばね受け具６に架けた状態を示している。
【０１１３】
本発明と異なるところは、キックばね１６のばね腕部１８は一対を対称形状に設けられているのではなく、ばね腕部１８はキックばね１６の一方にのみ設けられ、他方のばね他端部２７は発光体ベース９に当接しており、一方のばね腕部１８のみを対応するばね受け具６に架ける構成である。
【０１１４】
この構成では、図１５に示すように一方のキックばね１６のみをばね受け具６に架けた状態においては、発光体ユニット４はキックばね１６によるばね受け溝１９から長手方向の反力Ｑを受け、この力は発光体ユニット４を長手方向に移動させようとする力となる。
【０１１５】
このような状態で他方のキックばね１６のばね腕部１８をばね受け具６に架ける際には、発光体ユニット４が移動しないように、反力Ｑに抗った力を発光体ユニット４の長手方向に加えて位置を維持しなければならず、余計な力を要するので作業性に問題が生じる恐れがある。
【０１１６】
一方、本発明の実施形態においては、一方のキックばね１６をばね受け具６に架けた状態であっても、発光体ユニット４の長手方向への反力は生じないので、作業性が良好である。
【０１１７】
以上説明したように、本発明による照明器具は、発光体ユニット４を天井２に取り付けられた器具本体３に対して付勢する捻りばねであるキックばね１６を、発光体ユニット４の上面に長手方向の中心線上に沿って複数設け、それぞれのキックばね１６に対応したばね受け具６を器具本体３に下向きに設け、キックばね１６をばね受け具６に架けることで、発光体ユニット４を器具本体３に対して当接する構成としたことで、下方から施工する際にばね受け具６を目視できるので、キックばね１６をばね受け具６に架けやすく、施工の容易な照明器具を得られる、という効果がある。
【０１１８】
本発明による照明器具はさらに、キックばね１６を介して発光体ユニット４を吊下げた状態を保持することが可能なので、コネクタ８を接続する際に紐や鎖のような特段の吊下げ部材を用いて発光体ユニット４を吊下げる必要がなく、簡素な構成であって特段の道具を用いることなく発光体ユニット４を着脱可能な照明器具を得られる、という効果がある。
【０１１９】
本発明による照明器具はさらに、キックばね１６を介して発光体ユニット４を吊下げた状態において、発光体ユニット４を短手方向に揺動することが可能であり、発光体ユニット４を奥側に揺動した際には、手前側にコネクタ８を接続するためのスペースが大であり、ばね受け具６をさらに目視しやすく、施工の容易な照明器具を得られる、という効果がある。
【０１２０】
本発明による照明器具はさらに、コネクタ８を接続したのち発光体ユニット４を吊下げた状態から上方から持ち上げるだけで、発光体ユニット４はキックばね１６の付勢力によって器具本体３に向けて引き上げられてセットされるので、特段の道具を使うことなく発光体ユニット４を取り付けることができる、施工の容易な照明器具が得られる、という効果がある。
【０１２１】
本発明による照明器具はさらに、キックばね１６の一対のばね腕部１８をばねのコイル部１７に対して対称な形状とし、ばね受け具６にはそれぞれのばね腕部１８に対応したばね受け溝１９を設けたので、複数本のキックばね１６のうち１本のみをばね受け具６に架けた状態であっても、発光体ユニット４を長手方向に移動する力を生じることがなく、発光体ユニット４を安定して吊り下げることができるので、施工の容易な照明器具を得られる、という効果がある。
【０１２２】
本発明による照明器具はさらに、ばね受け具６に設けられたばね受け溝１９に隣接した辺ないし切り起こし部２０をばね受け溝１９に向けて間隔が狭くなるよう傾斜した傾斜部２５としたので、キックばね１６を取り付ける際には、ばね腕部１８が切り起こし部２０ないし傾斜部２５に沿ってばね受け溝１９にガイドされて呼び込まれるので、キックばね１６をばね受け溝１９に確実にかつ容易に取り付けることができ、キックばね１６が取り付けやすく、施工の容易な照明器具を得られる、という効果がある。
【０１２３】
本発明による照明器具はさらに、器具本体３の短手方向の幅寸法を発光体ユニット４の短手方向の幅寸法とほぼ等しくすることができるので、複数の照明器具を短手方向に隣接して配置できる、という効果がある。
【０１２４】
本発明による照明器具はさらに、所謂長尺の長手方向に特に長い照明器具１において、キックばね１６を３本設け、そのうちの１本は発光体ユニット４の略中央の重心位置近傍に配置したので、中央近傍のキックばね１６ｃのみをばね受け具６に架けた状態であっても発光体ユニット４を略水平に安定して吊り下げることができるので、施工の容易な照明器具を得られる、という効果がある。
【０１２５】
本発明による照明器具はさらに、器具本体３と発光体ユニット４とは長手方向に直線状ではなく、全体または一部が曲線によって構成されていても、一対のキックばね１６は重心位置Ｇを挟んで発光体ユニット４の長手方向の両端近傍に、コイル部１７の中心線が互いに平行となるよう配置し、重心位置Ｇはキックばね１６のばね腕部１８の間隔であるｅの範囲内に設けることで、キックばね１６を介して発光体ユニット４を吊下げた状態を保持することが可能であり、施工の容易な照明器具を得られる、という効果がある。
【０１２６】
なお、本実施形態では光源である発光体素子１１をＬＥＤとして説明したが、発光体素子１１はＬＥＤに限定されるものではなく、有機ＥＬ（ＯＬＥＤ：オーガニック・ライト・エミッティング・ダイオード）であってもよい。
【０１２７】
また、本実施形態では、コイル部１７の巻き方向が同一のキックばね１６を複数設けた例を図示したが、そのような構成に限定されるものではなく、複数設けられたキックばね１６は、互いにコイル部１７の巻き方向が逆向きであってもよく、そのような構成であっても本発明に記載したと同様な効果が得られることは明らかである。
【０１２８】
本実施形態においては、一対のキックばね１６を発光体ユニット４の長手方向の中心線上に配置するものとして説明したが、そのような配置に限定されるものではなく、一方のキックばね１６を短手方向の手前側にずらして配置し、他方のキックばね１６を短手方向の奥側にずらして配置してもよく、このように配置してもこれら一対のキックばね１６は重心を挟んで配置されるので、発光体ユニット４を安定して保持することが可能であり、本実施形態と同様な効果がある。
【０１２９】
以上の構成により、天井に取り付けられた器具本体に発光体ユニットを取り付ける際に、特段の道具を用いる必要がなく、コネクタの接続がしやすいとともに係止手段であるキックばねが架けやすい、施工の容易な照明器具を得ることができる。
【符号の説明】
【０１３０】
１  照明器具
２  天井
３  器具本体
４  発光体ユニット
５  透光カバー
６  ばね受け具
７  ケーブル
８  コネクタ
９  発光体ベース
１０  発光体基板
１１  発光体素子
１２  電源装置
１５  ばね保持具
１６  キックばね
１７  コイル部
１８  ばね腕部
１９  ばね受け溝
２０  切り起こし部
２１  第一の屈曲部
２２  第二の屈曲部
２３  ストッパ部
２５  傾斜部
【図１】
2018160473.tif 000003
【図２】
2018160473.tif 000004
【図３】
2018160473.tif 000005
【図４】
2018160473.tif 000006
【図５】
2018160473.tif 000007
【図６】
2018160473.tif 000008
【図７】
2018160473.tif 000009
【図８】
2018160473.tif 000010
【図９】
2018160473.tif 000011
【図１０】
2018160473.tif 000012
【図１１】
2018160473.tif 000013
【図１２】
2018160473.tif 000014
【図１３】
2018160473.tif 000015
【図１４】
2018160473.tif 000016
【図１５】
2018160473.tif 000017